(57)【要約】【課題】パターンの倒壊を抑制または防止しつつ、基板の表面を良好に乾燥させることができる、基板処理方法および基板処理装置を提供すること。【解決手段】基板処理装置は、微細パターンが表面に形成された基板をチャンバ内に搬入する工程（ステップＳ１）と、基板の表面に付着した薬液を、リンス液を用いて洗い流すリンス工程（ステップＳ４）と、リンス工程の後、基板の上面に過熱水蒸気を供給して、基板の表面を乾燥させる乾燥工程（ステップＳ６）とを含む。【選択図】図５
2016143873.tif 000002
【特許請求の範囲】
【請求項１】
所定のパターンが表面に形成された基板を、その表面を上方に向けた状態で保持する基板保持工程と、
前記基板の表面を、処理液を用いて処理すべく、前記基板の表面に、当該基板の表面の一部または全域を覆う処理液の液膜を形成する液膜形成工程と、
前記処理液工程の後、前記基板の表面のうち前記処理液の液膜が形成されている部分に過熱水蒸気を供給して、前記基板の表面を乾燥させる乾燥工程とを含む、基板処理方法。
【請求項２】
前記乾燥工程は、過熱水蒸気ノズルから前記基板の一部に過熱水蒸気を吹き付けて、前記処理液の液膜に液膜除去領域を形成する液膜除去領域形成工程を含む、請求項１記載の基板処理方法。
【請求項３】
前記液膜形成工程は、前記基板の表面の全域を覆う処理液の液膜を形成するものであり、
前記液膜除去領域形成工程は、前記過熱水蒸気ノズルから、前記基板の回転中心を含む中央部に過熱水蒸気を吹き付ける吹き付け工程を含み、
前記乾燥工程は、さらに、
前記吹き付け工程に並行して、前記基板を回転させる基板回転工程と、
前記基板回転工程および前記吹き付け工程に並行して、前記基板の表面における過熱水蒸気の供給位置を、前記基板の前記中央部から、前記基板の表面の周縁を含む周縁部まで移動させる供給位置移動工程とを含む、請求項２に記載の基板処理方法。
【請求項４】
前記処理液は水である、請求項１〜３のいずれか一項に記載の基板処理方法。
【請求項５】
前記処理液は、低表面張力を有する有機溶剤である、請求項１〜３のいずれか一項に記載の基板処理方法。
【請求項６】
所定のパターンが表面に形成された基板を保持する基板保持手段と、
前記基板の表面に処理液を用いた処理液処理を施すべく、前記基板の表面に処理液を供給する処理液供給手段と、
前記処理液処理の後、前記基板の表面を乾燥させるために、当該基板の表面に過熱水蒸気を供給する過熱水蒸気供給手段とを含む、基板処理装置。
【請求項７】
前記過熱水蒸気供給手段による過熱水蒸気の供給とは別に、前記基板を加熱する加熱手段をさらに含む、請求項６に記載の基板処理装置。
【発明の詳細な説明】
【技術分野】
【０００１】
本発明は、処理液を用いて基板を処理する基板処理方法および基板処理装置に関する。処理対象となる基板の例には、半導体ウエハ、液晶表示装置用基板、プラズマディスプレイ用基板、ＦＥＤ(Field Emission Display)用基板、光ディスク用基板、磁気ディスク用基板、光磁気ディスク用基板、フォトマスク用基板、セラミック基板、太陽電池用基板などが含まれる。
【背景技術】
【０００２】
半導体装置の製造工程では、半導体ウエハ等の基板の表面に処理液を供給して、その基板の表面が処理液を用いて処理される。
たとえば、基板を１枚ずつ処理する枚葉式の基板処理装置は、基板をほぼ水平に保持しつつ、その基板を回転させるスピンチャックと、このスピンチャックによって回転される基板の表面に処理液を供給するためのノズルとを備えている。たとえば、スピンチャックに保持された基板に対して薬液が供給され、その後にリンス液が供給されることにより、基板上の薬液がリンス液に置換される。その後、基板の上面（表面）上からリンス液を排除するためのスピン乾燥処理が行われる。スピン乾燥処理では、基板が高速回転されることにより、基板に付着しているリンス液が振り切られて除去（乾燥）される。このようなスピン乾燥処理では、基板表面において隣り合う微細パターンの間に入り込んだリンス液を、十分に除去できない結果、乾燥不良が生じるおそれがある。
【０００３】
そのため、下記特許文献１のように、リンス処理後の基板の表面に、イソプロピルアルコール（isopropyl alcohol：ＩＰＡ）液等の常温の有機溶剤を供給して、基板表面において隣り合う微細パターンの間に入り込んだリンス液を有機溶剤に置換し、基板表面を乾燥させる手法が提案されている。
【先行技術文献】
【特許文献】
【０００４】
【特許文献１】特開平９−３８５９５号公報
【発明の概要】
【発明が解決しようとする課題】
【０００５】
しかしながら、近年、高集積化のために、基板（たとえば半導体ウエハ）の表面に形成されるパターンが微細構造（微細でかつアスペクト比の高い構造）を有している。このような微細構造を有するパターンは倒壊し易いので、スピン乾燥処理前に有機溶剤を基板表面に供給するだけでは、このようなパターンの倒壊を十分に抑制できないおそれがある。
そこで、本発明の目的は、基板乾燥時におけるパターンの倒壊を抑制または防止できる、基板処理方法および基板処理装置を提供することである。
【課題を解決するための手段】
【０００６】
基板乾燥時のパターンの倒壊は、隣り合うパターン間に存在する液（処理液）に発生する表面張力が、当該パターン間を引っ張ることが原因であると考えられている。液の表面張力と基板表面の乾燥に要する時間との積で導き出される「表面張力の力積」の増大に従って、基板乾燥時にパターン倒壊し易くなる。したがって、本願発明者は、当該表面張力の力積を低減させることにより、パターンの倒壊を抑制可能であると考えている。
【０００７】
前記の目的を達成するための請求項１に記載の発明は、所定のパターンが表面に形成された基板を、その表面を上方に向けた状態で保持する基板保持工程と、前記基板の表面を、処理液を用いて処理すべく、前記基板の表面に、当該基板の表面の一部または全域を覆う処理液の液膜を形成する液膜形成工程と、前記処理液工程の後、前記処理液の液膜に過熱水蒸気を供給して、前記基板の表面を乾燥させる乾燥工程とを含む、基板処理方法を提供する。
【０００８】
過熱水蒸気とは、水の沸点を超える温度の水蒸気のことである（以下、この明細書において同じ）。
この方法によれば、乾燥工程では、処理液工程後の基板上の処理液の液膜に過熱水蒸気が供給される。過熱水蒸気は高温であるので、基板表面における過熱水蒸気の供給位置にある処理液が、基板表面（隣り合うパターン間を含む）から蒸発除去させられる。これにより、基板表面を良好に乾燥できる。
【０００９】
基板表面に供給される乾燥用気体を過熱水蒸気とするので、同じ温度を有する高温の空気や高温の窒素ガスを乾燥用気体として用いる場合と比較して、乾燥用気体（過熱水蒸気）から基板表面の処理液に与えられる熱量が高い。
具体的には、処理液の沸点未満の温度を有する基板に過熱水蒸気が供給されると、過熱水蒸気は凝縮する（水が気相から液相に相転移する）。この過熱水蒸気の凝縮に伴って発生する熱量が、基板表面の処理液に与えられる。加えて、過熱水蒸気の比熱容量が比較的高く、そのため、過熱水蒸気が有している潜熱の熱量は高い。これらにより、基板表面の処理液に高い熱量を与えることができる。また、過熱水蒸気は極めて高い浸透力を有している。そのため、パターンが微細構造を有していても、隣り合うパターン間の深部にまで過熱水蒸気が届く。そのため、過熱水蒸気を基板表面に供給することにより、隣り合うパターン間に含まれる処理液を良好に除去できる。
【００１０】
したがって、乾燥用気体として過熱水蒸気を用いることにより、高温の空気や高温の窒素ガスを乾燥用気体として用いる場合と比較して、基板表面の処理液が昇温し易いから、基板表面の乾燥に要する時間を短縮可能である。
また、過熱水蒸気の供給により、基板表面の処理液が温められて昇温する。一般的に、液の表面張力は当該液の温度上昇に従って減少する。したがって、過熱水蒸気の供給により、隣り合うパターン間に存在する処理液の表面張力を低減できる。
【００１１】
以上により、基板表面の処理液の表面張力を低減でき、かつ基板表面の乾燥に要する時間を短縮できるから、処理液の表面張力と基板表面の乾燥に要する時間との積で導き出される表面張力の力積の低減を図ることができる。これにより、基板乾燥時におけるパターンの倒壊を抑制または防止できる。
請求項２に記載の発明は、前記乾燥工程は、過熱水蒸気ノズルから前記基板の一部に過熱水蒸気を吹き付けて、前記処理液の液膜に液膜除去領域を形成する液膜除去領域形成工程を含む、請求項１記載の基板処理方法である。
【００１２】
この方法によれば、基板の一部に過熱水蒸気を吹き付けることにより、処理液の液膜に液膜除去領域が形成される。そして、液膜除去領域では、パターンおよび／または基板自身に過熱水蒸気が供給される。過熱水蒸気の供給により過熱水蒸気と基板との間で熱交換が行われ、基板に供給された過熱水蒸気は沸点未満まで温度低下して凝縮する。その後、基板の上面に対する過熱水蒸気の供給が続行されることにより、水の薄膜に熱が補給され、当該水の薄膜が昇温する。そして、基板の上面に対する過熱水蒸気の供給がさらに続行されることにより、水の薄膜に熱が補給され、水の薄膜が、パターンの表面および／または基板自身の表面から蒸発除去される。それ以降は、基板の上面に供給される過熱水蒸気の凝縮は生じない。
【００１３】
すなわち、基板の上面に供給される過熱水蒸気はその初期段階において凝縮するが、基板自身およびパターンが沸点を超えた後は、凝縮が起こらない。また、過熱水蒸気の凝縮により形成された水の薄膜は、その後の過熱水蒸気の断続的な供給により蒸発乾燥させられる。以上により、過熱水蒸気の凝縮に伴う結露が、基板上で生じない。したがって、結露に基づくパーティクルが基板上において発生するのを抑制または防止できる。
【００１４】
請求項３に記載の発明は、前記液膜形成工程は、前記基板の表面の全域を覆う処理液の液膜を形成するものであり、前記液膜除去領域形成工程は、前記過熱水蒸気ノズルから、前記基板の回転中心を含む中央部に過熱水蒸気を吹き付ける吹き付け工程を含み、前記乾燥工程は、さらに、前記吹き付け工程に並行して、前記基板を回転させる基板回転工程と、前記基板回転工程および前記吹き付け工程に並行して、前記基板の表面における過熱水蒸気の供給位置を、前記基板の前記中央部から、前記基板の表面の周縁を含む周縁部まで移動させる供給位置移動工程とを含む、請求項２に記載の基板処理方法である。
【００１５】
この方法によれば、基板表面の全域に形成された処理液の液膜に、過熱水蒸気ノズルから過熱水蒸気を吹き付けることにより、基板表面の中央部に液膜除去領域が形成される。過熱水蒸気ノズルからの過熱水蒸気の吐出、および基板を回転させながら、基板表面における過熱水蒸気の供給位置を中央部から周縁部まで移動させることにより、液膜除去領域を基板表面の全域に拡大できる。したがって、基板表面の全域から処理液を除去でき、これにより、基板表面の全域を良好に乾燥できる。
【００１６】
また、基板表面において、過熱水蒸気の供給位置の走査済みの領域を除く領域が処理液の液膜で覆われているので、基板表面における未乾燥領域が雰囲気中の酸素と反応しない。また、基板表面における、過熱水蒸気の供給位置は、過熱水蒸気（気体のＨ２Ｏ）の雰囲気にあり、酸素分子がほとんど存在しない。これらにより、基板の全域を低酸素雰囲気下で乾燥できる。したがって、ウォーターマークの発生を抑制または防止できる。
【００１７】
請求項４に記載のように、前記処理液は水であってもよい。この場合、過熱水蒸気の吐出開始時に基板表面に水が存在している（少なくとも隣り合うパターン間に水が存在している）から、当該基板表面の処理液に、発生した凝縮後の水を良好に吸収できる。これにより、過熱水蒸気の供給に伴う、基板表面におけるパーティクルの発生を、より一層効果的に抑制できる。
【００１８】
また、請求項５に記載のように、前記処理液は、低表面張力を有する有機溶剤であってもよい。この場合、隣り合うパターン間に存在するのが表面張力の低い有機溶剤であるので、隣接するパターン同士の引き付け合う力が弱まる。したがって、パターンに作用する表面張力の力積を低減できるから、パターンの倒壊をより一層効果的に抑制できる。
前記の目的を達成するための請求項６に記載の発明は、所定のパターンが表面に形成された基板を保持する基板保持手段と、前記基板の表面に処理液を用いた処理液処理を施すべく、前記基板の表面に処理液を供給する処理液供給手段と、前記処理液処理の後、前記基板の表面を乾燥させるために、当該基板の表面に過熱水蒸気を供給する過熱水蒸気供給手段とを含む、基板処理装置を提供する。
【００１９】
この構成によれば、請求項１に関連して説明した作用効果と同等の作用効果を奏する。
請求項７に記載の発明は、前記過熱水蒸気供給手段による過熱水蒸気の供給とは別に、前記基板を加熱する加熱手段をさらに含んでいてもよい。
この場合、過熱水蒸気の供給とは別に、加熱手段からの加熱によっても、基板が温められる。そのため、より大きな熱量を基板表面の処理液に付与できる。これにより、基板表面の乾燥を促進でき、その結果、基板表面の乾燥に要する時間を、より一層短縮できる。
【図面の簡単な説明】
【００２０】
【図１Ａ】本発明の第１の実施形態に係る基板処理装置を水平方向に見た図である。
【図１Ｂ】処理ユニットの処理対象の基板の表面を拡大して示す断面図である。
【図２】前記処理ユニットによって行われる処理の第１の処理例について説明するためのフローチャートである。
【図３Ａ−３Ｂ】前記第１の処理例を説明するための図解的な図である。
【図３Ｃ−３Ｄ】図３Ｂに続く工程を説明するための模式的な図である。
【図４Ａ−４Ｂ】乾燥工程における基板の表面状態を説明するための断面図である。
【図４Ｃ】図４Ｂに続く工程を説明するための模式的な図である。
【図５】本発明の第２の実施形態に係る基板処理装置の一部を図解的に示す図である。
【図６】本発明の第３の実施形態に係る基板処理装置によって行われる処理の第２の処理例について説明するためのフローチャートである。
【図７Ａ−７Ｂ】前記第２の処理例を説明するための図解的な図である。
【図８】本発明の基板処理装置の変形例を説明するための図である。
【発明を実施するための形態】
【００２１】
以下では、本発明の実施の形態を、添付図面を参照して詳細に説明する。
図１Ａは、本発明の第１の実施形態に係る基板処理装置１を水平方向に見た図である。
基板処理装置１は、半導体ウエハなどの円板状の基板Ｗを、処理液や処理ガスによって一枚ずつ処理する枚葉式の装置である。基板処理装置１は、基板Ｗを処理液を用いて処理する処理ユニット２と、基板処理装置１に備えられた装置の動作やバルブの開閉を制御する制御装置３（制御手段）とを含む。
【００２２】
各処理ユニット２は、枚葉式のユニットである。各処理ユニット２は、内部空間を有する箱形のチャンバ４と、チャンバ４内で一枚の基板Ｗを水平な姿勢で保持して、基板Ｗの中心を通る鉛直な回転軸線Ａ１まわりに基板Ｗを回転させるスピンチャック（基板保持手段）５と、スピンチャック５に保持されている基板Ｗの上面に薬液を供給するための薬液供給ユニット６と、スピンチャック５に保持されている基板Ｗの上面に、水を供給するための水供給ユニット（処理液供給手段）７と、スピンチャック５に保持されている基板Ｗの上面に、過熱水蒸気（水の沸点を超える温度の水蒸気）を供給するための過熱水蒸気供給ユニット（過熱水蒸気供給手段）８と、スピンチャック５の周囲を取り囲む筒状のカップ９とを含む。
【００２３】
チャンバ４は、スピンチャック５やノズルを収容する箱状の隔壁１０と、隔壁１０の上部から隔壁１０内に清浄空気（フィルタによってろ過された空気）を送る送風ユニットとしてのＦＦＵ（ファン・フィルタ・ユニット）１１と、隔壁１０の下部からチャンバ４内の気体を排出する排気ダクト１２とを含む。ＦＦＵ１１は、隔壁１０の上方に配置されており、隔壁１０の天井に取り付けられている。ＦＦＵ１１は、隔壁１０の天井からチャンバ４内に下向きに清浄空気を送る。排気ダクト１２は、カップ９の底部に接続されており、基板処理装置１が設置される工場に設けられた排気処理設備に向けてチャンバ４内の気体を導出する。したがって、チャンバ４内を下方に流れるダウンフロー（下降流）が、ＦＦＵ１１および排気ダクト１２によって形成される。基板Ｗの処理は、チャンバ４内にダウンフローが形成されている状態で行われる。
【００２４】
スピンチャック５として、基板Ｗを水平方向に挟んで基板Ｗを水平に保持する挟持式のチャックが採用されている。具体的には、スピンチャック５は、スピンモータ（基板回転手段）１３と、このスピンモータ１３の駆動軸と一体化されたスピン軸１４と、スピン軸１４の上端に略水平に取り付けられた円板状のスピンベース１５とを含む。
スピンベース１５の上面には、その周縁部に複数個（３個以上。たとえば６個）の挟持部材１６が配置されている。複数個の挟持部材１６は、スピンベース１５の上面周縁部において、基板Ｗの外周形状に対応する円周上で適当な間隔を空けて配置されている。
【００２５】
また、スピンチャック５としては、挟持式のものに限らず、たとえば、基板Ｗの裏面を真空吸着することにより、基板Ｗを水平な姿勢で保持し、さらにその状態で鉛直な回転軸線まわりに回転することにより、スピンチャック５に保持された基板Ｗを回転させる真空吸着式のもの（バキュームチャック）が採用されてもよい。
薬液供給ユニット６は、薬液を吐出する薬液ノズル１７と、薬液ノズル１７に接続された薬液配管１８と、薬液配管１８に介装された薬液バルブ１９と、薬液ノズル１７が先端部に取り付けられた第１のノズルアーム２０と、第１のノズルアーム２０を揺動させることにより、薬液ノズル１７を移動させる第１のノズル移動ユニット２１とを含む。
【００２６】
薬液バルブ１９が開かれると、薬液配管１８から薬液ノズル１７に供給された薬液が、薬液ノズル１７から下方に吐出される。薬液バルブ１９が閉じられると、薬液ノズル１７からの薬液の吐出が停止される。第１のノズル移動ユニット２１は、薬液ノズル１７を基板Ｗの上面に沿って移動させることにより、薬液の供給位置を基板Ｗの上面内で移動させる。さらに、第１のノズル移動ユニット２１は、薬液ノズル１７から吐出された薬液が基板Ｗの上面に供給される処理位置と、薬液ノズル１７が平面視でスピンチャック５の側方に退避した退避位置との間で、薬液ノズル１７を移動させる。
【００２７】
薬液ノズル１７から吐出される薬液は、硫酸、酢酸、硝酸、塩酸、フッ酸、アンモニア水、過酸化水素水、有機酸（たとえばクエン酸、蓚酸など）、有機アルカリ（たとえば、ＴＭＡＨ：テトラメチルアンモニウムハイドロオキサイドなど）、界面活性剤、腐食防止剤のうちの少なくとも１つを含む液を例示することができる。
水供給ユニット７は、水を吐出する水ノズル２２と、水ノズル２２に接続された水配管２３と、水配管２３に介装された水バルブ２４と、水ノズル２２が先端部に取り付けられた第２のノズルアーム２５と、第２のノズルアーム２５を揺動させることにより、水ノズル２２を移動させる第２のノズル移動ユニット２６とを含む。
【００２８】
水バルブ２４が開かれると、水配管２３から水ノズル２２に供給された水が、水ノズル２２から下方に吐出される。水バルブ２４が閉じられると、水ノズル２２からの水の吐出が停止される。第２のノズル移動ユニット２６は、水ノズル２２を基板Ｗの上面に沿って移動させることにより、水の供給位置を基板Ｗの上面内で移動させる。さらに、第２のノズル移動ユニット２６は、水ノズル２２から吐出された水が基板Ｗの上面に供給される処理位置と、水ノズル２２が平面視でスピンチャック５の側方に退避した退避位置との間で、水ノズル２２を移動させる。
【００２９】
水ノズル２２から吐出される水は、たとえば、純水（脱イオン水：Ｄeionzied Ｗater）である。水は、純水に限らず、炭酸水、電解イオン水、水素水、オゾン水および希釈濃度（たとえば、１０〜１００ｐｐｍ程度）の塩酸水のいずれかであってもよい。
薬液ノズル１７および水ノズル２２の双方を、スキャンノズルであるとして説明しているが、薬液ノズル１７および水ノズル２２の少なくとも一つが、吐出口を静止した状態で処理液（薬液または水）を吐出する固定ノズルであってもよい。
【００３０】
過熱水蒸気供給ユニット８は、過熱水蒸気を吐出する過熱水蒸気ノズル２７と、過熱水蒸気ノズル２７に接続された過熱水蒸気配管２８と、過熱水蒸気配管２８に介装された過熱水蒸気バルブ２９と、過熱水蒸気ノズル２７が先端部に取り付けられた第３のノズルアーム３０と、第３のノズルアーム３０を揺動させることにより、過熱水蒸気ノズル２７を移動させる第３のノズル移動ユニット３１とを含む。
【００３１】
過熱水蒸気バルブ２９が開かれると、過熱水蒸気配管２８から過熱水蒸気ノズル２７に供給された過熱水蒸気が、過熱水蒸気ノズル２７から下方に吐出される。過熱水蒸気バルブ２９が閉じられると、過熱水蒸気ノズル２７からの過熱水蒸気の吐出が停止される。第３のノズル移動ユニット３１は、過熱水蒸気ノズル２７を基板Ｗの上面に沿って移動させることにより、過熱水蒸気の供給位置ＳＰ（図３Ｂ参照）を基板Ｗの上面内で移動させる。さらに、第３のノズル移動ユニット３１は、過熱水蒸気ノズル２７から吐出された過熱水蒸気が基板Ｗの上面に供給される処理位置と、過熱水蒸気ノズル２７が平面視でスピンチャック５の側方に退避した退避位置との間で過熱水蒸気ノズル２７を移動させる。
【００３２】
カップ９は、スピンチャック５に保持されている基板Ｗよりも外方（回転軸線Ａ１から離れる方向）に配置されている。カップ９は、スピンベース１５を取り囲んでいる。スピンチャック５が基板Ｗを回転させている状態で、処理液（薬液または水）が基板Ｗに供給されると、基板Ｗに供給された処理液が基板Ｗの周囲に振り切られる。処理液が基板Ｗに供給されるとき、上向きに開いたカップ９の上端部９ａは、スピンベース１５よりも上方に配置される。したがって、基板Ｗの周囲に排出された処理液は、カップ９によって受け止められる。そして、カップ９に受け止められた処理液は、図示しない回収装置または廃液装置に送られる。
【００３３】
図１Ｂは、処理ユニット２の処理対象の基板Ｗの表面を拡大して示す断面図である。処理対象の基板Ｗは、たとえばシリコンウエハであり、そのパターン形成面である表面５１にナノスケールの微細パターン（微細構造を有するパターン）５２が形成されている。微細パターン５２は、図１Ｂに示すように、凸形状（柱状）を有する構造体５３が行列状に配置されたものであってもよい。この場合、構造体５３の線幅Ｗ１はたとえば１０nm〜４５nm程度に、微細パターン５２の隙間Ｗ２はたとえば１０nm〜数百μｍ程度に、それぞれ設けられている。
【００３４】
また、微細パターン５２は、微細なトレンチにより形成されたライン状のパターンが、繰り返し並ぶものであってもよい。
また、微細パターン５２は、薄膜に、複数の微細孔（ボイド（void）またはポア（pore））を設けることにより形成されていてもよい。
微細パターン５２は、たとえば絶縁膜を含む。また、微細パターン５２は、導体膜を含んでいてもよい。より具体的には、微細パターン５２は、複数の膜を積層した積層膜により形成されており、さらには、絶縁膜と導体膜とを含んでいてもよい。微細パターン５２は、単層膜で構成されるパターンであってもよい。絶縁膜は、ＳｉＯ２膜や窒化膜であってもよい。また、導体膜は、低抵抗化のための不純物を導入したアモルファスシリコン膜であってもよいし、金属膜（たとえば金属配線膜）であってもよい。
【００３５】
また、微細パターン５２の膜厚Ｔは、たとえば、５０ｎｍ〜５μｍ程度である。また、微細パターン５２は、たとえば、アスペクト比（線幅Ｗ１に対する膜厚Ｔの比）が、たとえば、５〜５００程度であってもよい（典型的には、５〜５０程度である）。
図２は、処理ユニット２によって行われる処理の第１の処理例について説明するためのフローチャートである。図３Ａ〜３Ｄは、前記第１の処理例を説明するための図解的な図である。以下では、図１Ｂに示す基板Ｗの表面が処理される例について説明する。図４Ａ〜４Ｃは、乾燥工程（Ｓ６）における基板Ｗの表面状態を説明するための断面図である。
【００３６】
図１Ａおよび図２を参照しつつ第１の処理例について説明する。図３Ａ〜３Ｄ、および図４Ａ〜４Ｃについては適宜参照する。
基板処理装置１によって基板Ｗが処理されるときには、チャンバ４内に基板Ｗが搬入される（ステップＳ１）。具体的には、制御装置３は、ノズル１７，２２，２７等のチャンバ４内の構成がスピンチャック５の上方から退避している状態で、搬送ロボット（図示しない）に基板Ｗをチャンバ４内に搬入させる。そして、制御装置３は、基板Ｗの表面（パターン形成面）５１が上に向けられた状態で、搬送ロボットに基板Ｗをスピンチャック５上に載置させる（基板保持工程）。その後、制御装置３は、基板Ｗがスピンチャック５に保持されている状態でスピンモータ１３を回転させる。これにより、基板Ｗの回転が開始される（ステップＳ２）。制御装置３は、スピンチャック５上に基板Ｗが載置された後、搬送ロボットをチャンバ４内から退避させる。
【００３７】
次いで、基板Ｗに薬液を供給する薬液工程（ステップＳ３）が行われる。具体的には、制御装置３は、第１のノズル移動ユニット２１を制御することにより、薬液ノズル１７を退避位置から処理位置に移動させる。その後、制御装置３は、薬液バルブ１９を開いて、回転状態の基板Ｗの上面に向けて薬液ノズル１７から薬液を吐出させる。制御装置３は、この状態で第１のノズル移動ユニット２１を制御することにより、基板Ｗの上面に対する薬液の供給位置を中央部と周縁部との間で移動させる。そして、薬液バルブ１９が開かれてから所定時間が経過すると、制御装置３は、薬液バルブ１９を閉じて、薬液ノズル１７からの薬液の吐出を停止させる。その後、制御装置３は、第１のノズル移動ユニット２１を制御することにより、薬液ノズル１７をスピンチャック５の上方から退避させる。
【００３８】
薬液ノズル１７から吐出された薬液は、基板Ｗの上面に供給された後、遠心力によって基板Ｗの上面に沿って外方に流れる。これにより、基板Ｗの上面全域に薬液が行き渡り、基板Ｗの上面全域が薬液によって処理される。さらに、制御装置３は、基板Ｗが回転している状態で、基板Ｗの上面に対する薬液の供給位置を中央部と周縁部との間で移動させる。これにより、薬液の供給位置が、基板Ｗの上面全域を通過し、基板Ｗの上面全域が走査（スキャン）される。そのため、薬液ノズル１７から吐出された薬液が、基板Ｗの上面全域に直接吹き付けられ、基板Ｗの上面全域が均一に処理される。予め定める時間が経過すると、制御装置３は、薬液バルブ１９を閉じて、薬液ノズル１７からの薬液の吐出を停止させ、その後、第２のノズル移動ユニット２６を制御することにより、薬液ノズル１７をスピンチャック５の上方から退避させる。
【００３９】
次いで、純水を含む水（リンス液）を基板Ｗに供給するリンス工程（ステップＳ４）が行われる。具体的には、制御装置３は、第２のノズル移動ユニット２６を制御することにより、水ノズル２２を退避位置から処理位置に移動させる。その後、制御装置３は、水バルブ２４を開いて、回転状態の基板Ｗの上面に向けて水ノズル２２から水を吐出させる。制御装置３は、この状態で第２のノズル移動ユニット２６を制御することにより、基板Ｗの上面に対する水の供給位置を中央部と周縁部との間で移動させる。
【００４０】
薬液ノズル１７から吐出された薬液と同様に、水ノズル２２から吐出された水は、基板Ｗの上面に着液した後、遠心力によって基板Ｗの上面に沿って外方に流れる。そのため、基板Ｗ上の薬液は、水によって外方に押し流され、基板Ｗの周囲に排出される。これにより、基板Ｗ上の薬液が、水によって洗い流される。さらに、制御装置３は、基板Ｗが回転している状態で、基板Ｗの上面に対する水の供給位置を中央部と周縁部との間で移動させるので、水の供給位置が、基板Ｗの上面全域を通過し、基板Ｗの上面全域が走査される。そのため、水ノズル２２から吐出された水が、基板Ｗの上面全域に直接吹き付けられ、基板Ｗの上面全域が均一に処理される。
【００４１】
次に、基板Ｗへの水の供給を停止させた状態で水の液膜３２を基板Ｗ上に保持するパドルリンス工程（処理液工程。ステップＳ５）が行われる。具体的には、制御装置３は、スピンチャック５を制御することにより、基板Ｗの上面全域が水に覆われている状態で、基板Ｗの回転を停止させる、もしくは、リンス工程（Ｓ４）での回転速度よりも低速の低回転速度（たとえば約１０〜３０ｒｐｍ）まで基板Ｗの回転速度を低下させる（図３Ａには、約１０ｒｐｍで低速回転させられた状態を示す）。これにより、基板Ｗの上面に、基板Ｗの上面の全域を覆うパドル状の水の液膜３２が形成される。この状態では、基板Ｗの上面の水の液膜３２に作用する遠心力が水と基板Ｗの上面との間で作用する表面張力よりも小さいか、あるいは前記の遠心力と前記の表面張力とがほぼ拮抗している。基板Ｗの減速により、基板Ｗ上の水に作用する遠心力が弱まり、基板Ｗ上から排出される水の量が減少する。
【００４２】
制御装置３は、基板Ｗが静止している状態もしくは基板Ｗが低回転速度で回転している状態で、水バルブ２４を閉じて、水ノズル２２からの水の吐出を停止させる。制御装置３は、基板Ｗへの水の供給を停止した後、第２のノズル移動ユニット２６を制御することにより、水ノズル２２をスピンチャック５の上方から退避させる。これにより、図３Ａに示すように、基板Ｗの上面全域を覆う水の液膜３２が基板Ｗ上に保持される。この状態では、図４Ａに示すように、水の液膜３２の液面は、微細パターン５２の上端よりも上方に位置している（微細パターン５２が水の液膜３２に完全に浸されている）。そして、微細パターン５２の間には、その底部（当該空間における基板Ｗ自身の表面５１に極めて近い位置）まで水が行き渡っている。また、基板Ｗの上面にパドル状の水の液膜３２が形成された後に、基板Ｗの上面への水の供給が続行されていていてもよい。
【００４３】
次いで、制御装置３は、乾燥工程（ステップＳ６）を行う。
具体的には、制御装置３は、スピンモータ１３を制御して、基板Ｗの回転速度を零または低回転速度から、乾燥処理速度（たとえば１００ｒｐｍ）まで上昇させる（基板回転工程）。また、制御装置３は、第３のノズル移動ユニット３１を制御することにより、過熱水蒸気ノズル２７を退避位置から中央位置に移動させる。過熱水蒸気ノズル２７が中央位置に配置された後、制御装置３は、過熱水蒸気バルブ２９を開く。これにより、図３Ｂに示すように、乾燥処理速度で回転中の基板Ｗの上面の供給位置ＳＰに向けて、過熱水蒸気ノズル２７から過熱水蒸気が吹き付けられる（吹き付け工程）。過熱水蒸気ノズル２７から吐出される過熱水蒸気の温度は、１００℃を超えて２００℃以下、より好ましくは１７０℃以上２００℃以下である。これは、基板Ｗおよび微細パターン５２の耐熱温度や、過熱水蒸気配管２８を構成する樹脂材料の耐熱温度を考慮したものである。このように過熱水蒸気は極めて高温であるので、基板Ｗの供給位置ＳＰに存在する水が基板Ｗの上面から蒸発除去させられる。
【００４４】
具体的には、図４Ａに示すように、まず、水の液膜３２における微細パターン５２上の部分に配置されている水の液膜３２に高温の過熱水蒸気が吹き付けられる。基板Ｗの上面の供給位置ＳＰにある水が、吹き付け圧力（ガス圧）で物理的に押し拡げられ、当該供給位置ＳＰから吹き飛ばされて除去されられる（図４Ｂ参照）。これにより、基板Ｗの上面の全域に形成された水の液膜３２の供給位置ＳＰに、円形の穴態様の液膜除去領域３３が形成される。
【００４５】
基板Ｗの上面に吹き付けられる過熱水蒸気は、極めて高い浸透力を有している。そのため、隣り合う微細パターン５２間の深部にまで過熱水蒸気が届く。したがって、過熱水蒸気を基板Ｗの上面に供給することにより、隣り合う微細パターン５２間に含まれる水を良好に除去できる。これにより、図４Ｃに示すように、供給位置ＳＰにおいて、微細パターン５２の外表面および／または基板Ｗ自身の表面が露出するようになる（図４Ｃでは、微細パターン５２の外表面および基板Ｗ自身の表面が露出している状態を示している）。
【００４６】
基板Ｗ（微細パターン５２および／または基板Ｗ自身）に対する過熱水蒸気の供給により過熱水蒸気と基板Ｗとの間で熱交換が行われ、基板Ｗに供給された過熱水蒸気は１００℃未満まで温度低下して凝縮する。過熱水蒸気の凝縮により生成された水（液体のＨ２Ｏ）は、図４Ｃに示すように、微細パターン５２の表面および／または基板Ｗの表面５１で、水の薄膜５４を形成する。その後基板Ｗの上面に対する過熱水蒸気の供給が続行されることにより、水の薄膜５４に熱が補給され、水の薄膜５４が、微細パターン５２の表面および基板Ｗ自身の表面から蒸発除去される。それ以降は、基板Ｗの上面に供給される過熱水蒸気の凝縮は生じない。すなわち、過熱水蒸気の凝縮により形成された水の薄膜５４は、その後の過熱水蒸気の断続的な供給により蒸発乾燥させられる。そのため、過熱水蒸気の凝縮に伴う結露が基板Ｗ上で生じない。
【００４７】
図４Ａ〜４Ｃに示すように、基板Ｗの上面に供給される乾燥用気体を過熱水蒸気とするので、同じ温度を有する高温の空気や高温の窒素ガスを乾燥用気体として用いる場合と比較して、乾燥用気体（過熱水蒸気）から基板Ｗ上の水（水の液膜３２、および微細パターン５２の間に存在する水）に与えられる熱量が高い。
具体的には、水（液相の水）、または水の沸点未満の温度を有する基板Ｗの上面に過熱水蒸気が供給されることにより、過熱水蒸気は凝縮する（水が気相から液相に相転移する）。この過熱水蒸気の凝縮に伴って発生する熱量が、基板Ｗ上の水に与えられる。また、過熱水蒸気は、空気や窒素ガスと比べて高い比熱容量を有しており（過熱水蒸気：０．４６ｋｃａｌ／ｋｇ・℃  空気：０．２４ｋｃａｌ／ｋｇ・℃  窒素ガス：０．２５ｋｃａｌ／ｋｇ・℃）、そのため、過熱水蒸気が有している潜熱の熱量は高い。これらにより、高い熱量を基板Ｗ上の水に与えることができる。
【００４８】
したがって、乾燥用気体として過熱水蒸気を用いることにより、乾燥工程（Ｓ６）の処理時間を短く設定しても、基板Ｗの上面を良好に乾燥できる。
過熱水蒸気ノズル２７からの過熱水蒸気の吐出流量は、たとえば５０（リットル／分）以上３００（リットル／分）以下であることが望ましい。過熱水蒸気の吐出流量が５０（リットル／分）以上と大流量であるので、過熱水蒸気の吹き付けにより、供給位置ＳＰにおいて水の液膜３２に液膜除去領域３３を容易に形成できる。また、過熱水蒸気の吐出流量が３００（リットル／分）以下であるので、排気処理設備による排気ダクト１２を介した排気により、チャンバ４内での過熱水蒸気の滞留を抑制または防止できる。
【００４９】
また、基板Ｗの乾燥処理速度は、過熱水蒸気の供給により供給位置ＳＰから側方に押し出された水が供給位置ＳＰに戻ることを阻止できる大きさの遠心力が発生するような速度に設定されており、たとえば約１００ｒｐｍに設定されている。
制御装置３は、過熱水蒸気ノズル２７からの過熱水蒸気の吹き付け、および基板Ｗの回転を行いながら、第３のノズル移動ユニット３１を制御して、過熱水蒸気ノズル２７を、前記の中央位置から径方向外方に向けて水平に移動させる（供給位置移動工程）。これにより、基板Ｗの上面における過熱水蒸気の供給位置ＳＰが、中央部から周縁部まで移動させられる。この場合、過熱水蒸気の供給位置ＳＰを基板Ｗの上面の全域に走査させることができ、これにより、液膜除去領域３３が基板Ｗの上面の全域に拡大する。
【００５０】
液膜除去領域３３が最初に基板Ｗの上面の中央部に配置されるので、液膜除去領域３３の内部には水が存在していない。したがって、基板Ｗの上面の中央部から確実に水を除去でき、基板Ｗの中央部に乾燥不良が生じることを抑制または防止できる。
また、過熱水蒸気の供給位置ＳＰの走査済みの領域を除く領域が水の液膜３２で覆われているので、基板Ｗの上面において未乾燥の領域が雰囲気中の酸素と反応することを防止できる。また、基板Ｗの上面における、過熱水蒸気の供給位置ＳＰは、過熱水蒸気（気体のＨ２Ｏ）の雰囲気にあり、酸素分子がほとんど存在しない。したがって、基板Ｗの上面の全域が低酸素雰囲気下で乾燥される。
【００５１】
過熱水蒸気ノズル２７が周縁位置まで移動された後、制御装置３は、過熱水蒸気バルブ２９を閉じて、過熱水蒸気ノズル２７からの過熱水蒸気の吹き付けを停止させる。制御装置３は、基板Ｗへの過熱水蒸気の供給を停止した後、第３のノズル移動ユニット３１を制御することにより、過熱水蒸気ノズル２７をスピンチャック５の上方から退避させる。また、制御装置３は、スピンモータ１３を制御して、スピンチャック５の回転（基板Ｗの回転）を停止させる（ステップＳ７）。また、制御装置３は、スピンチャック５による基板Ｗの回転を停止させる。
【００５２】
これにより、一枚の基板Ｗに対する処理が終了し、制御装置３は、基板Ｗを搬入したときと同様に、処理済みの基板Ｗを搬送ロボットによってチャンバ４内から搬出させる（ステップＳ８）。
以上によりこの実施形態によれば、乾燥工程（Ｓ６）では、パドルリンス工程（Ｓ５）後の濡れた基板Ｗの上面に過熱水蒸気が供給される。過熱水蒸気は高温であるので、基板Ｗ上面における供給位置にあるリンス液が、基板Ｗ上面（隣り合う微細パターン５２間を含む）から蒸発除去させられる。これにより、基板Ｗ上面を良好に乾燥できる。
【００５３】
基板Ｗの上面に供給される乾燥用気体を過熱水蒸気とするので、同じ温度を有する高温の空気や高温の窒素ガスを乾燥用気体として用いる場合と比較して、乾燥用気体（過熱水蒸気）から基板Ｗ上の水に与えられる熱量が高い。加えて、過熱水蒸気は極めて高い浸透力を有するから、隣り合う微細パターン５２間の深部にまで過熱水蒸気が届く。そのため、過熱水蒸気を基板Ｗの上面に供給することにより、隣り合う微細パターン５２間に含まれる水を良好に除去できる。これらにより、乾燥用気体として過熱水蒸気を用いることにより、高温の空気や高温の窒素ガスを乾燥用気体として用いる場合と比較して、基板Ｗ上の水が昇温し易いから、基板Ｗの上面の乾燥に要する時間を短縮可能である。
【００５４】
また、過熱水蒸気の供給により、基板Ｗの上面上の水が温められて昇温する。一般的に、液体の表面張力は当該液体の温度上昇に従って減少する。したがって、過熱水蒸気の供給により、隣り合う微細パターン５２間に存在する水の表面張力を低減できる。
以上により、基板Ｗ上の水の表面張力を低減でき、併せて基板Ｗの上面の乾燥に要する時間を短縮できるから、水の表面張力と基板Ｗの上面の乾燥に要する時間との積で導き出される「表面張力の力積」の低減を図ることができる。これにより、基板Ｗの乾燥時における微細パターン５２の倒壊を抑制または防止できる。
【００５５】
また、基板Ｗの上面の全域に形成された水の液膜３２に、過熱水蒸気ノズル２７から過熱水蒸気を吹き付けることにより、基板Ｗの上面の中央部に液膜除去領域３３を形成する。過熱水蒸気ノズル２７からの過熱水蒸気の吹き付け、および基板Ｗの回転を行いながら、基板Ｗの上面における過熱水蒸気の供給位置ＳＰを中央部から周縁部まで移動させることにより、液膜除去領域３３を基板Ｗの上面の全域に拡大できる。したがって、基板Ｗの上面の全域から水を除去でき、これにより、基板Ｗの上面の全域を良好に乾燥できる。
【００５６】
図５は、本発明の第２の実施形態に係る基板処理装置１０１の一部を図解的に示す図である。
図５において、第１の実施形態に示された各部に対応する部分には、図１〜図１０の場合と同一の参照符号を付して示し、説明を省略する。
第２の実施形態に係る基板処理装置１０１が、第１の実施形態に係る基板処理装置１と相違する点は、スピンチャック５に保持されている基板Ｗを下方から加熱するホットプレート（加熱手段）１０２を備えている点である。スピンチャック５のスピンベースと、スピンチャック５に保持された基板Ｗとの間の空間に、ホットプレート１０２が収容されている。
【００５７】
ホットプレート１０２は、たとえばセラミックや炭化ケイ素（ＳｉＣ）を用いて形成されており、円板状をなしている。ホットプレート１０２は、基板Ｗよりもやや小径の円形をなす平坦な基板対向面１０２ａを有している。ホットプレート１０２の内部には、たとえば抵抗式のヒータ１０３が埋設されている。ヒータ１０３への通電によりヒータ１０３が発熱し、これにより、基板対向面１０２ａを含むホットプレート１０２全体が発熱する。ホットプレート１０２の基板対向面１０２ａは、基板Ｗの下面に近接しており、そのため、ホットプレート１０２の加熱状態では、基板対向面１０２ａからの熱が熱輻射により基板Ｗの下面に与えられ、これにより基板Ｗが温められる。
【００５８】
制御装置３は、乾燥工程（図２のＳ６）に並行して、ホットプレート１０２を加熱状態に制御する。具体的には、制御装置３は、過熱水蒸気ノズル２７からの過熱水蒸気の吹き付け開始に先立って、ホットプレート１０２を加熱状態に制御する。そして、加熱開始から、ホットプレート１０２が所定の高温に達するような時間が経過した後、制御装置３（図１参照）は、過熱水蒸気ノズル２７からの過熱水蒸気の吹き付けを開始させる。過熱水蒸気ノズル２７から過熱水蒸気が吐出停止されるまで、ホットプレート１０２による基板Ｗの加熱が続行される。基板Ｗの乾燥処理速度で回転させる点や、基板Ｗの上面の供給位置ＳＰを移動させる点は、乾燥工程（図２のＳ６）に関連して前述した通りである。
【００５９】
また、ホットプレート１０２が昇降可能に設けられていて、ホットプレート１０２には、図５に破線で示すように、ホットプレート１０２を昇降するための昇降ユニット１０４が結合されていてもよい。昇降ユニット１０４は、ホットプレート１０２を、基板対向面１０２ａが基板Ｗの下面に近接する上位置と、基板対向面１０２ａが基板Ｗの下方に大きく退避する下位置との間で昇降させる。昇降ユニット１０４は、上位置と下位置との間の各所で、ホットプレート１０２を水平姿勢に保持する。
【００６０】
この場合、制御装置３は、基板Ｗに対する処理（図２に示す第１の処理例）の実行中、ヒータ１０３を制御して、ホットプレート１０２を常時加熱状態に維持する。そして、処理の開始からパドルリンス工程までの処理（図２に示すＳ１〜Ｓ５）の間は、ホットプレート１０２は、下位置に配置されている。そして、乾燥工程（図２のＳ６）の実行に際し、制御装置３は、昇降ユニット１０４を制御して、加熱状態にあるホットプレート１０２を下位置から上位置に向けて移動させ、上位置に配置する。これにより、ホットプレート１０２によって基板Ｗが温められる。
【００６１】
第２の実施形態では、第１の実施形態で説明した作用効果に加え、以下の作用効果を奏する。すなわち、過熱水蒸気ノズル２７からの過熱水蒸気の基板Ｗへの供給とは別に、ホットプレート１０２からの加熱によっても、基板Ｗが温められる。そのため、基板Ｗ上の水の液膜３２に、より大きな熱量を付与できる。これにより、基板Ｗの上面の乾燥を促進でき、その結果、基板Ｗの上面の乾燥に要する時間を、より一層短縮できる。
【００６２】
また、第２の実施形態において、過熱水蒸気の基板Ｗへの供給に並行して基板Ｗを加熱する場合について説明したが、過熱水蒸気の供給に先立って、基板Ｗを加熱するようにしてもよい。この場合、基板Ｗの余熱によって、乾燥工程（図２のＳ６）において、基板Ｗの上面の乾燥を促進できる。また、過熱水蒸気の供給前から過熱水蒸気の供給中に亘って、基板Ｗを加熱するようにしてもよい。
【００６３】
また、第２の実施形態において、ホットプレート１０２による基板Ｗの保持状態で、基板Ｗの下面がホットプレート１０２と接触可能に設けられていてもよい。すなわち、基板対向面１０２ａが基板Ｗの下面に近接する状態で、ホットプレート１０２が基板Ｗを下方から接触支持するようにしてもよい。
図６は、本発明の第３の実施形態に係る基板処理装置２０１によって行われる処理の第２の処理例について説明するためのフローチャートである。図７Ａ，７Ｂは、前記第２の処理例を説明するための図解的な図である。
【００６４】
第３の実施形態に係る基板処理装置２０１が、第１の実施形態に係る基板処理装置１と相違する点は、図１Ａに破線で示すように、処理ユニット２が、スピンチャック５に保持されている基板Ｗの上面に、処理液として、低表面張力を有する有機溶剤の一例としてのイソプロピルアルコール（isopropyl alcohol：ＩＰＡ）を供給するための有機溶剤供給ユニット（処理液供給手段）４１をさらに含む点である。
【００６５】
有機溶剤供給ユニット４１は、ＩＰＡを吐出する有機溶剤ノズル４２と、有機溶剤ノズル４２に接続された有機溶剤配管４３と、有機溶剤配管４３に介装された有機溶剤バルブ４４と、有機溶剤ノズル４２が先端部に取り付けられた第４のノズルアーム４５と、第４のノズルアーム４５を揺動させることにより、有機溶剤ノズル４２を移動させる第４のノズル移動ユニット４６とを含む。
【００６６】
有機溶剤バルブ４４が開かれると、有機溶剤配管４３から有機溶剤ノズル４２に供給されたＩＰＡが、有機溶剤ノズル４２から下方に吐出される。有機溶剤バルブ４４が閉じられると、有機溶剤ノズル４２からのＩＰＡの吐出が停止される。第４のノズル移動ユニット４６は、有機溶剤ノズル４２を基板Ｗの上面に沿って移動させることにより、ＩＰＡの供給位置を基板Ｗの上面内で移動させる。さらに、第４のノズル移動ユニット４６は、有機溶剤ノズル４２から吐出されたＩＰＡが基板Ｗの上面に供給される処理位置と、有機溶剤ノズル４２が平面視でスピンチャック５の側方に退避した退避位置との間で有機溶剤ノズル４２を移動させる。
【００６７】
基板処理装置２０１の処理ユニット２では、図６に示す第２の処理例が行われる。
以下、図１および図６を参照して第２の処理例について説明する。図２および図７Ａ，７Ｂは、適宜参照する。
第２の処理例は、パドルリンス工程（ステップＳ１５）の後、基板Ｗの上面の水の液膜３２をＩＰＡで置換する有機溶剤置換工程（処理液工程。ステップＳ１６）を行う点で、図２に示す第１の処理例と相違している。有機溶剤置換工程（Ｓ１６）の後には、乾燥工程（ステップＳ１７）が行われる。
【００６８】
図６に示すステップＳ１１〜Ｓ１５の工程は、それそれ、図２に示すステップＳ１〜Ｓ５と同等の工程であり、また、図６に示すステップＳ１８，Ｓ１９の工程は、それそれ、図２に示すステップＳ７，Ｓ８と同等の工程である。そのため、これらの工程については、説明を省略する。
有機溶剤置換工程（Ｓ１６）では、制御装置３は、制御装置３は、第４のノズル移動ユニット４６を制御することにより、有機溶剤ノズル４２を退避位置から中央位置に移動させる。有機溶剤ノズル４２が中央位置に静止された状態で、制御装置３は、基板Ｗの回転速度をパドルリンス工程（Ｓ１５）と同じ速度に維持しつつ有機溶剤バルブ４４を開く。これにより、回転停止している、もしくは、リンス工程（Ｓ４）での回転速度よりも低速の低回転速度（たとえば１０〜３０ｒｐｍ）で回転している基板Ｗの上面の中央部に向けて、液体のＩＰＡが吐出される。基板Ｗの上面の中央部へのＩＰＡの供給により、基板Ｗの上面の液膜３２に含まれる水がＩＰＡに順次置換されていく。これにより、基板Ｗの上面に、基板Ｗの上面の全域を覆うパドル状のＩＰＡの液膜４７が保持される。この状態では、基板Ｗの上面のＩＰＡの液膜４７に作用する遠心力がＩＰＡと基板Ｗの上面との間で作用する表面張力よりも小さいか、あるいは前記の遠心力と前記の表面張力とがほぼ拮抗している。
【００６９】
基板Ｗの上面にＩＰＡの液膜４７が保持された状態では、ＩＰＡの液膜４７の液面は、微細パターン５２の上端よりも上方に位置している（微細パターン５２がＩＰＡの液膜４７に完全に浸されている）。そして、微細パターン５２の間には、その底部（当該空間における基板Ｗ自身の表面５１に極めて近い位置）までＩＰＡが行き渡っている。次いで、制御装置３は、乾燥工程（ステップＳ１７）を行う。
【００７０】
乾燥工程（Ｓ１７）は、図２に示す乾燥工程（Ｓ６）と同等の工程である。
具体的には、制御装置３は、スピンモータ１３を制御して、基板Ｗの回転速度を乾燥処理速度（たとえば１００ｒｐｍ）まで上昇させ、また、第３のノズル移動ユニット３１を制御して、過熱水蒸気ノズル２７を中央位置に移動させる。その後、制御装置３は、過熱水蒸気バルブ２９を開く。これにより、過熱水蒸気ノズル２７から過熱水蒸気が吹き付けられる。乾燥処理速度で回転中の基板Ｗの上面の供給位置ＳＰに、過熱水蒸気ノズル２７から過熱水蒸気が吹き付けられる。供給位置ＳＰは、過熱水蒸気の吹き付け開始時には、基板Ｗの上面の中央部に配置されている。過熱水蒸気の吹き付けにより、基板Ｗの上面の供給位置ＳＰにあるＩＰＡが、吹き付け圧力（ガス圧）で物理的に押し拡げられ、当該供給位置ＳＰから吹き飛ばされて除去されられる。これにより、基板Ｗの上面の全域に形成されたＩＰＡ液膜４７の供給位置ＳＰに、円形の穴態様の液膜除去領域４８が形成される（液膜除去領域形成工程）。
【００７１】
基板Ｗの上面に吹き付けられる過熱水蒸気は、極めて高い浸透力を有している。そのため、隣り合う微細パターン５２間の深部にまで過熱水蒸気が届く。したがって、過熱水蒸気を基板Ｗの上面に供給することにより、隣り合う微細パターン５２間に含まれるＩＰＡを良好に除去できる。
この場合、前述の第１の実施形態で説明したように、過熱水蒸気の凝縮により形成された水の薄膜５４は、その後の過熱水蒸気の断続的な供給により蒸発乾燥させられる。そのため、過熱水蒸気の凝縮に伴う結露が基板Ｗ上で生じない。
【００７２】
また、制御装置３は、過熱水蒸気ノズル２７からの過熱水蒸気の吹き付け、および基板Ｗの回転を行いながら、第３のノズル移動ユニット３１を制御して、過熱水蒸気ノズル２７を、前記の中央位置から径方向外方に向けて水平に移動させる。これにより、基板Ｗの上面における過熱水蒸気の供給位置ＳＰが、中央部から周縁部まで移動させられる。この場合、過熱水蒸気の供給位置ＳＰを基板Ｗの上面の全域に走査させることができ、これにより、液膜除去領域４８が基板Ｗの上面の全域に拡大する。過熱水蒸気ノズル２７が周縁位置まで移動された後、制御装置３は、過熱水蒸気バルブ２９を閉じて、過熱水蒸気ノズル２７からの過熱水蒸気の吐出を停止させる。
【００７３】
第２の処理例では、処理液として、低表面張力を有するＩＰＡを用いるので、第１の処理例の作用効果に加えて、次の作用効果を奏する。すなわち、隣り合う微細パターン５２間に存在するのが表面張力の低いＩＰＡであるので、隣接するパターン同士の引き付け合う力が弱まる。したがって、微細パターン５２に作用する表面張力の力積を低減できるから、微細パターン５２の倒壊をより一層効果的に抑制できる。
【００７４】
以上、この発明の３つの実施形態について説明したが、本発明はさらに他の形態で実施することもできる。
たとえば、連続流を吐出する過熱水蒸気ノズル２７ではなく、図８に示すように、下面に多穴を有する多穴ノズル３０１を用いて、基板Ｗの上面に過熱水蒸気を供給するようにしてもよい。多穴ノズル３０１の下面は、気体（すなわち過熱水蒸気）を下方に吐出する多数の貫通孔３０２が形成された、水平なパンチングプレート３０３によって構成されている。パンチングプレート３０３は、平面視で、基板Ｗの上面の全域を覆うことが可能な大きさおよび形状を有している。多穴ノズル３０１には、過熱水蒸気配管３０４が接続されている。過熱水蒸気配管３０４には、過熱水蒸気バルブ３０５が介装されている。多穴ノズル３０１には、ノズル移動ユニット３０６が結合されている。ノズル移動ユニット３０６は、スピンチャック５の側方に設けられた鉛直な揺動軸線（図示しない）まわりに多穴ノズル３０１を回動させる。また、ノズル移動ユニット３０６は、多穴ノズル３０１を上下方向に移動させる。ノズル移動ユニット３０６は、たとえば、退避位置、上位置（図８に破線で示す位置）、および近接位置（図８に実線で示す位置）のいずれかに多穴ノズル３０１を位置させる。退避位置は、多穴ノズル３０１がスピンチャック５の側方に退避する位置であり、上位置および近接位置は、多穴ノズル３０１が基板Ｗの中央部の上方に配置される位置である。上位置は、近接位置の上方の位置であり、近接位置は、上位置よりも多穴ノズル３０１の下面が基板Ｗの上面中央部に近接する位置である。
【００７５】
乾燥工程（図２のＳ６および図６のＳ１７）において、多穴ノズル３０１は、近接位置に配置される。この状態で、パンチングプレート３０３が、基板Ｗの上面の全域を覆っている。過熱水蒸気バルブ３０５が開かれると、過熱水蒸気源からの過熱水蒸気は、過熱水蒸気配管３０４を通って多穴ノズル３０１内に導かれる。これにより、パンチングプレート１３から、スピンチャック５に保持されている基板Ｗに過熱水蒸気が吹き付けられる。
【００７６】
この変形例では、乾燥工程（図２のＳ６および図６のＳ１７）において、基板Ｗは静止させられていてもよい。この場合、基板保持手段として、図８のようなスピンチャック５（基板Ｗを回転可能な構成）を用いる必要はなく、基板Ｗを載置可能なプレートや載置台を基板保持手段として用いてもよい。
また、基板Ｗの上面にパドル状の液膜３２，４７が保持されている状態で、基板Ｗの上面に対する過熱水蒸気の供給が開始される（乾燥工程（図２のＳ６および図６のＳ１７）が開始される）として説明したが、基板Ｗの上面に保持されている液膜３２，４７はパドル状の液膜に限られない。たとえば、基板の上面に処理液（水またはＩＰＡ）を供給しながら、基板Ｗを（たとえば１０〜１０００ｒｐｍ）回転させると、基板Ｗの回転による遠心力を受けて基板Ｗの上面に処理液が拡がり、換言すると、基板Ｗの上面の全域を覆う処理液の液膜が形成される。このような状態で、基板Ｗの上面に対する過熱水蒸気の供給が開始されるようになっていてもよい。
【００７７】
また、処理液の液膜は、基板Ｗの上面の全域を覆うものでなく、一部を覆うものであってもよい。
また、基板Ｗへの過熱水蒸気の供給開始時に、基板Ｗの上面が濡れていれば、基板Ｗの上面に処理液の液膜が形成されていてなくてもよい。基板Ｗの上面が濡れている状態では、微細パターン５２の間に処理液が存在する。
【００７８】
また、処理対象の基板Ｗの表面（上面）に微細パターン５２に形成されているものとして説明したが、基板Ｗの表面（上面）に形成されているパターンが、微細構造を有していなくてもよい。
また、本発明に用いられる有機溶剤（低表面張力を有する有機溶剤）はＩＰＡに限られない。有機溶剤は、ＩＰＡ、メタノール、エタノール、ＨＦＥ（ハイドロフロロエーテル）、アセトンおよびTrans-1,２ジクロロエチレンのうちの少なくとも１つを含む。また、有機溶剤としては、単体成分のみからなる場合だけでなく、他の成分と混合した液体であってもよい。たとえば、ＩＰＡとアセトンの混合液であってもよいし、ＩＰＡとメタノールの混合液であってもよい。
【００７９】
また、前述の各実施形態では、基板処理装置１，１０１，２０１が円板状の基板を処理する装置である場合について説明したが、基板処理装置１，１０１，２０１は、液晶表示装置用ガラス基板などの多角形の基板を処理する装置であってもよい。
その他、特許請求の範囲に記載された事項の範囲で種々の設計変更を施すことが可能で
ある。
【符号の説明】
【００８０】
１，１０１，２０１  基板処理装置
５  スピンチャック（基板保持手段）
７  リンス液供給ユニット（処理液供給手段）
８  過熱水蒸気供給ユニット（過熱水蒸気供給手段）
４１  有機溶剤供給ユニット（処理液供給手段）
５１  上面（表面）
５２  微細パターン（パターン）
１０２  ホットプレート（加熱手段）
Ｗ  基板
【図１Ａ】
2016143873.tif 000003
【図１Ｂ】
2016143873.tif 000004
【図２】
2016143873.tif 000005
【図３Ａ−３Ｂ】
2016143873.tif 000006
【図３Ｃ−３Ｄ】
2016143873.tif 000007
【図４Ａ−４Ｂ】
2016143873.tif 000008
【図４Ｃ】
2016143873.tif 000009
【図５】
2016143873.tif 000010
【図６】
2016143873.tif 000011
【図７Ａ−７Ｂ】
2016143873.tif 000012
【図８】
2016143873.tif 000013